(57)【特許請求の範囲】
【請求項１】
容器本体にスプレイヤー本体を装着し、スプレイヤー本体に回動可能に設けられたトリガーに加える操作により、スプレイヤー本体に設けてあるポンプに容器本体の液状物を吸引し、該ポンプによりノズル部を経由して液状物を吐出するトリガー式スプレイヤーにおいて、
スプレイヤー本体におけるトリガーの後方に、該トリガーの操作方向に平行をなす支軸を設け、この支軸を中心として回転するようにストッパを取り付け、
該ストッパをトリガーに衝合して該トリガーを回動ロックせしめる作業位置と、該トリガーとの衝合を解除する非作業位置とに切換設定可能としてなり、
スプレイヤー本体に固定されたポンプハウジングの先端にノズル部を備え、該ポンプハウジングのノズル部の延長線上後方に前記ストッパの支軸を設けたことを特徴とするトリガー式スプレイヤー。
【請求項２】
前記ストッパの支軸が、スプレイヤー本体に固定された円柱状部材のポンプハウジングの一部に設けられてなる請求項１記載のトリガー式スプレイヤー。
【請求項３】
前記トリガーのトリガー回動軸がスプレイヤー本体の前面側上部に位置する請求項１又は２に記載のトリガー式スプレイヤー。
【請求項４】
前記ストッパを合成樹脂から形成し、前記ストッパと支軸の一方に凹部、他方に凸部を設けてそれらの凹部と凸部の係合によって該ストッパを作業位置と非作業位置にて留まるようにした請求項１〜３のいずれかに記載のトリガー式スプレイヤー。
【発明の詳細な説明】
【０００１】
【発明の属する技術分野】
本発明はトリガー式スプレイヤーに関する。
【０００２】
【従来の技術】
従来、実開平4-37554 号公報、実公平7-16051 号公報に記載の如くのトリガー式スプレイヤーがある。このトリガー式スプレイヤーは、容器本体にスプレイヤー本体を装着し、スプレイヤー本体に回動可能に設けられたトリガーに加える操作により、スプレイヤー本体に設けてあるポンプに容器本体の液状物を吸引し、該ポンプによりノズル部を経由して液状物を吐出することとしている。
【０００３】
しかるに、トリガー式スプレイヤーの物流段階での不測のトリガーの動きによる液状物の意図しない吐出を予防するため、実開昭63-173360 号公報に記載の如く、トリガーのストッパを備えるものが提案されている。このストッパは、容器本体に装着されたスプレイヤー本体に固定された帯状部の先端に回動制止部を形成し、この回動制止部をトリガーに係脱可能とするものである。
【０００４】
【発明が解決しようとする課題】
しかしながら、従来技術では以下の問題点がある。
▲１▼トリガー式スプレイヤーの物流段階等で、ストッパを構成する帯状部がスプレイヤー本体まわりに一定のたるみをもって延在され、梱包作業時等における取扱い性が悪い。
【０００５】
▲２▼トリガー式スプレイヤーの使用段階で、ストッパの回動制止部をトリガーから外したとき、ストッパの帯状部及び回動制止部がスプレイヤー本体まわりに不安定な姿勢でぶらさがり、トリガーの操作性、容器本体の取扱い性を阻害する。
【０００６】
本発明の課題は、トリガー式スプレイヤーにおいて、トリガーの予期しない回動を防止し、意図しない吐出を予防するためのストッパを取り外し不要でコンパクトに備えることにある。
【０００７】
【課題を解決するための手段】
請求項１に記載の本発明は、容器本体にスプレイヤー本体を装着し、スプレイヤー本体に回動可能に設けられたトリガーに加える操作により、スプレイヤー本体に設けてあるポンプに容器本体の液状物を吸引し、該ポンプによりノズル部を経由して液状物を吐出するトリガー式スプレイヤーにおいて、スプレイヤー本体におけるトリガーの後方に、該トリガーの操作方向に平行をなす支軸を設け、この支軸を中心として回転するようにストッパを取り付け、該ストッパをトリガーに衝合して該トリガーを回動ロックせしめる作業位置と、該トリガーとの衝合を解除する非作業位置とに切換設定可能としてなり、スプレイヤー本体に固定されたポンプハウジングの先端にノズル部を備え、該ポンプハウジングのノズル部の延長線上後方に前記ストッパの支軸を設けたものである。
【０００８】
ここで”回動ロック”とは、トリガーが完全に回動しないことを意味するのではなく、トリガーの回動操作によるポンプの作動が不能となる程度に回動が制限されることを意味するのであり、ポンプの作動による液状物の吐出がなければトリガーがある程度回動するのは許容される。
【００１５】
【発明の実施の形態】
図１はトリガー式スプレイヤーのストッパを作業位置に設定した状態を示す側面図、図２は図１の正面図、図３はトリガー式スプレイヤーのストッパを非作業位置に設定した状態を示す側面図、図４は図３の正面図、図５はストッパを示す模式図である。
【００１６】
トリガー式スプレイヤー１０は、本出願人が特願平8-322102号により出願したスプレイヤーと基本的構成を同一とするものであり、容器本体１にスプレイヤー本体１１を装着し、これをキャップ１２により固定したものである。トリガー式スプレイヤー１０は、スプレイヤー本体１１の前面側上部に組み付けられるトリガー装着部材１８にトリガー回動軸１３Ａを介してトリガー１３を回動可能に設け、このトリガー１３に加える操作により、スプレイヤー本体１１に設けてあるポンプ１４に容器本体１の液状物を吸引し、ポンプ１４によりノズル部１５を経由して液状物を吐出可能としている。
【００１７】
尚、トリガー式スプレイヤー１０のポンプ１４は、スプレイヤー本体１１に固定された円柱状のポンプハウジング１６に固定的に設けられる小径シリンダ（不図示）と、小径シリンダに連通しその前方部において往復動自在に配設された大径シリンダ１７と、小径シリンダ及び大径シリンダ１７内においてばね（不図示）を介して往復動自在に配設されたプランジャ（不図示）とを備える。大径シリンダ１７は、トリガー１３の回動操作で往復動するとともに、プランジャの先端部で通液が遮断されるノズル部１５を備えている。１７Ａはトリガー１３により押動される押動部である。そして、トリガー式スプレイヤー１０では、トリガー１３の回動操作によるポンプ１４の蓄圧力により、容器本体１から小径シリンダ、大径シリンダ１７に吸引した液状物が所定の液圧に達すると、小径シリンダと大径シリンダ１７の断面積差に伴う加圧力差により、プランジャが大径シリンダ１７に対して相対移動し、プランジャによるノズル部１５の遮断を開き、液状物を高い圧力で均一に吐出可能とする。
【００１８】
しかるに、トリガー式スプレイヤー１０において、円柱状の部材であるポンプハウジング１６の先端部はスプレイヤー本体１１におけるトリガー１３の後方に位置し、トリガー１３の操作方向に平行をなす本発明の支軸２０を形成し、この支軸２０にストッパ２１を回動自在に取り付けてある。
【００１９】
ストッパ２１は、図５に示す如く、支軸２０に嵌着される回動リング２２と、回動リング２２の円周の一部から前方に突き出るトリガー衝合部２３と、トリガー衝合部２３の裏面に張り出し形成された操作つまみ２４とを有する。そして、ストッパ２１は、操作つまみ２４を用いて回動リング２２を支軸２０を中心として回動させることができ、(a) トリガー衝合部２３がトリガー１３の背面に衝合して、トリガー１３を引き操作不能とすることにて該トリガー１３を回動ロックせしめる作業位置（図１、図２）と、(b) トリガー衝合部２３をトリガー１３の背面から側方に外し、トリガー衝合部２３とトリガー１３の背面との衝合を解除する非作業位置（図３、図４）とに切換設定可能としてある。トリガー衝合部２３と操作つまみ２４とは、トリガーの幅Ｗより小さな幅とされており、作業位置では側方に突出しない。こうすることで取り扱い性が向上する。また、回動リング２２はその内側において支軸２０と摺動し、その摩擦力によって作業位置若しくは非作業位置にて留まる。こうすることで、ストッパを作業位置若しくは非作業位置に切り替え設定可能としてある。尚、ストッパは合成樹脂で作られており、若干の弾性を有するので、凹部と凸部をストッパと支軸とに各々設けて係合によって作業位置若しくは非作業位置にて留まるようにしても良い。
【００２０】
従って、トリガー式スプレイヤー１０は以下の如く用いられる。
(1) トリガー式スプレイヤー１０の物流段階
ストッパ２１を図１、図２の作業位置に設定する。これにより、トリガー１３はストッパ２１のトリガー衝合部２３に衝合して回動ロックせしめられ、不測のトリガー１３の動きによる液状物の意図しない吐出が予防される。
【００２１】
(2) トリガー式スプレイヤー１０の使用段階
ストッパ２１の操作つまみ２４を用いて回動リング２２を支軸２０まわりで回動し、ストッパ２１を図３、図４の非作業位置に設定する。これにより、ストッパ２１のトリガー衝合部２３はトリガー１３の背面に対する側方に外され、トリガー１３はストッパ２１のトリガー衝合部２３に衝合することなく回動操作可能となり、液状物を吸引、吐出可能とする。
【００２２】
(3) トリガー式スプレイヤー１０の使用休止段階
ストッパ２１を再び図１、図２の作業位置に設定する。これにより、トリガー１３はストッパ２１のトリガー衝合部２３に衝合して回動ロックせしめられ、幼児等のいたずらによる液状物の無用な吐出が予防される。
【００２３】
従って、本実施形態によれば以下の作用がある。
▲１▼スプレイヤー本体１１におけるトリガー１３の後方に、該トリガー１３の操作方向に平行をなす支軸２０を設け、この支軸２０にストッパ２１を枢着し、該ストッパ２１を支軸２０回りで作業位置と非作業位置とに切換設定可能とした。従って、ストッパ２１はスプレイヤー本体１１の側方に大きく張り出ることがなく、またスプレイヤー本体１１に不安定な姿勢で結合されることがなく、スプレイヤー本体１１に取り外し不要でコンパクトに設けられる。
【００２４】
▲２▼上記▲１▼により、トリガー式スプレイヤー１０の物流段階等で、トリガー１３に衝合するストッパ２１の外形をコンパクトにし、梱包作業時等における取扱い性を良好にする。
【００２５】
▲３▼上記▲１▼により、トリガー式スプレイヤー１０の使用段階で、トリガー１３との衝合を解除されたストッパ２１の外形をコンパクトに保ち、トリガー１３の操作性、容器本体１の取扱い性を向上する。
【００２６】
▲４▼ストッパ２１の支軸２０を、ポンプ１４のシリンダを構成する等のポンプハウジング１６の一部に設けることにより、スプレイヤー本体１１の外形を複雑にすることなく、上記▲１▼〜▲３▼のストッパ２１をスプレイヤー本体１１にコンパクトに設けることができる。
【００２７】
▲５▼トリガー衝合部２３と操作つまみ２４とを、トリガーの幅Ｗより小さな幅とした。これにより、作業位置ではストッパ２１がスプレイヤー本体１１の側方に突出しない構造とすることができ、容器本体の取り扱い性を向上することができた。
【００２８】
以上、本発明の実施の形態を図面により詳述したが、本発明の具体的な構成はこの実施の形態に限られるものではなく、本発明の要旨を逸脱しない範囲の設計の変更等があっても本発明に含まれる。即ち、本発明のトリガー式スプレイヤーは、トリガーの操作により容器本体内の液状物をポンプ内に吸引し、該ポンプよりノズル部を経由して吐出するものであれば、ポンプがトリガーにより駆動されるピストンをシリンダ内に往復動自在に備えるもの等、広く一般のトリガー式スプレイヤーに適用できる。
【００２９】
そして、本発明のストッパの支軸は、スプレイヤー本体におけるトリガーの後方に、該トリガーの操作方向に平行をなすものであれば、必ずしもポンプハウジングの一部を利用するものであることを要しない。
【００３０】
また、本発明が適用されるトリガー式スプレイヤーは、ポンプを構成するシリンダ、ピストンに対してノズル部が必ずしも同軸をなすものであることを要しない。
【００３１】
【発明の効果】
以上のように本発明によれば、トリガー式スプレイヤーにおいて、トリガーの回動ロックのためのストッパを取り外し不要でコンパクトに備えることができる。
【図面の簡単な説明】
【図１】図１はトリガー式スプレイヤーのストッパを作業位置に設定した状態を示す側面図である。
【図２】図２は図１の正面図である。
【図３】図３はトリガー式スプレイヤーのストッパを非作業位置に設定した状態を示す側面図である。
【図４】図４は図３の正面図である。
【図５】図５はストッパを示す模式図である。
【符号の説明】
１  容器本体
１０  トリガー式スプレイヤー
１１  スプレイヤー本体
１３  トリガー
１４  ポンプ
１５  ノズル部
１６  ポンプハウジング
２０  支軸
２１  ストッパ
【図１】
0003905609.tif 000002
【図２】
0003905609.tif 000003
【図３】
0003905609.tif 000004
【図４】
0003905609.tif 000005
【図５】
0003905609.tif 000006